(57)【特許請求の範囲】
【請求項１】
くつ下編機によってくつ下状に筒編された筒編部の開口部の端部を逢着して形成された縫目が甲側又は足裏側を横断している、足の小指が親指方向に曲がる内反小趾を防止又は矯正する内反小趾用くつ下であって、
前記くつ下の爪先部は、前記足の小指が単独で挿入される小指部が、前記足の他の指が挿入される他の指部から独立して形成されるように、二分割又は三分割されて形成され、
前記他の指部が前記縫目よりもくつ下の先端側に形成されており、且つ前記縫目よりも踵部側の部位から分岐されている前記小指部の全体がくつ下の側方に突出するように形成されていることを特徴とする内反小趾用くつ下。
【請求項２】
くつ下の小指部の先端部に、足の小指が単独で挿入された際に、前記小指部の膨らみを増加する膨らみ増加部が形成されている請求項１記載の内反小趾用くつ下。
【請求項３】
くつ下の爪先部が、足の親指が挿入される親指部、前記足の小指が単独で挿入される小指部及び前記足の他の指が挿入される他の指部に三分割されて形成され、
前記親指部の先端部に、前記足の親指が挿入された際に、前記親指部の膨らみを増加する膨らみ増加部が形成されていると共に、
前記他の指部の先端部にも、前記足の他の指が挿入された際に、前記他の指部の膨らみを増加する膨らみ増加部が形成されている請求項１又は請求項２項記載の内反小趾用くつ下。
【請求項４】
くつ下の爪先部が、足の小指が単独で挿入される小指部と足の親指を含む他の指が挿入される他の指部とに二分割されて形成され、
前記他の指部の先端部に、前記足の他の指が挿入された際に、前記他の指部の膨らみを増加する膨らみ増加部が形成されている請求項１又は請求項２記載の内反小趾用くつ下。
【請求項５】
くつ下編機を用い、請求項１記載の内反小趾用くつ下を製編する際に、
該くつ下の甲部を含む筒状部を製編した後、前記筒状部の端部に足の小指が単独で挿入される小指部を、その全体がくつ下の側方に突出するように製編し、
次いで、前記筒状部の端部から前記小指部が分岐された本体部を編み立てた後、前記本体部に引き続いて足の小指を除く他の指が挿入される他の指部を製編して、くつ下状に筒編された筒編部を得、
その後、前記本体部と他の指部との間に開口する開口部の端部を逢着することを特徴とする内反小趾防止用くつ下の製造方法。
【請求項６】
くつ下の小指部を製編する際に、前記小指部の製編に関与するくつ下編機の編針の数を増減して、前記小指部の先端部に、足の小指を単独で挿入したとき、前記小指部の膨らみを増加する膨らみ増加部を形成する請求項５記載の内反小趾防止・矯正用くつ下の製造方法。
【請求項７】
くつ下の爪先部が、足の親指が挿入される親指部、前記足の小指が単独で挿入される小指部及び前記足の他の指が挿入される他の指部に三分割されて成るくつ下を、前記くつ下の小指部を製編した後、くつ下の親指部と他の指部とを製編し、
前記親指部の製編の際には、前記親指部の製編に関与するくつ下編機の編針の数を増減して、前記親指部の先端部に、前記足の親指を挿入したとき、前記親指部の膨らみを増加する膨らみ増加部を形成し、
前記他の指部を製編する際には、前記他の指部の製編に関与するくつ下編機の編針の数を増減して、前記他の指部の先端部に、前記足の他の指を挿入したとき、前記他の指部の膨らみを増加する膨らみ増加部を形成する請求項５又は請求項６記載の内反小趾用くつ下の製造方法。
【請求項８】
くつ下の爪先部が、足の小指が単独で挿入される小指部と前記足の親指を含む他の指が挿入される他の指部とに二分割されて成るくつ下を、前記くつ下の小指部を編み立てた後、
前記他の指部の編み立てに関与するくつ下編機の編針の数を増減して、前記他の指部の先端部に、足の他の指を挿入したとき、前記他の指部の膨らみを増加する膨らみ増加部を形成する請求項５又は請求項６記載の内反小趾用くつ下の製造方法。
【発明の詳細な説明】
【０００１】
【発明の属する技術分野】
本発明は内反小趾用くつ下及びその製造方法に関し、更に詳細には足の小指が親指方向に曲がる内反小趾を防止又は矯正する内反小趾用くつ下及びその製造方法に関する。
【０００２】
【従来の技術】
爪先が尖った靴、特にハイヒールを履いていると、足の親指が小指側に曲がる外反母趾と足の小指が親指側に曲がる内反小趾とを併発し易い。かかる外反母趾及び／又は内反小趾が発症すると、歩くときに痛みを伴なうため、外反母趾となった親指（第１指）及び／又は内反小趾となった小指（第５指）の矯正を必要とする。
この矯正には、通常、親指（第１指）と第２指との間、及び小指（第５指）と第４指との間を可及的に広げることが有功である。
このため、外反母趾となった親指（第１指）の矯正には、曲がった親指（第１指）と第２指との間に詰め物を挟むことが行われている。
一方、内反小趾となった小指（第５指）の矯正には、曲がった小指（第５指）と第４指との間に詰め物をして、小指（第５指）と第４指との間を広げようとしても、通常、小指（第５指）は第４指よりも短いため、詰め物を第５指と第４指との間に係止することが困難である。
このため、内反小趾となった小指（第５指）の矯正には、小指（第５指）と第４指との間を可及的に広げるべく、足の各指が挿入される指部が爪先部に形成された５本指のくつ下が利用されている。
【０００３】
【発明が解決しようとする課題】
かかる５本指のくつ下を履くことによって、靴を脱いでいるときには、くつ下によって足の各指が圧迫されず、各指を自由に動かすことができ、指間の間隙も容易に広げることができる。
しかし、５本指のくつ下は、履く際に、くつ下の各指部に対応する足の指を挿入しなければならず面倒である。
しかも、従来の５本指のくつ下は、各指部が略平行に形成されているため、小指（第５指）と第４指との間を広げる作用は乏しいことが判明した。
そこで、本発明の課題は、容易に履くことができ、且つ小指（第５指）と第４指との間を可及的に広げることのできる内反小趾用くつ下及びその製造方法を提供することにある。
【０００４】
【課題を解決するための手段】
本発明者等は、前記課題を解決すべく検討を重ねた結果、足の小指を単独で挿入するくつ下の小指部を他の指部から独立して形成し、且つこの小指部の先端部がくつ下の側方に突出するように形成することによって、くつ下を履いたとき、足の小指（第５指）と第４指との間を広げることができることを見出し、本発明に到達した。
すなわち、本発明は、くつ下編機によってくつ下状に筒編された筒編部の開口部の端部を逢着して形成された縫目が甲側又は足裏側を横断している、足の小指が親指方向に曲がる内反小趾を防止又は矯正する内反小趾用くつ下であって、前記くつ下の爪先部は、前記足の小指が単独で挿入される小指部が、前記足の他の指が挿入される他の指部から独立して形成されるように、二分割又は三分割されて形成され、前記他の指部が前記縫目よりもくつ下の先端側に形成されており、且つ前記縫目よりも踵部側の部位から分岐されている前記小指部の全体がくつ下の側方に突出するように形成されていることを特徴とする内反小趾用くつ下にある。
また、本発明は、くつ下編機を用い、前述した内反小趾用くつ下を製編する際に、該くつ下の甲部を含む筒状部を製編した後、前記筒状部の端部に足の小指が単独で挿入される小指部を、その全体がくつ下の側方に突出するように製編し、次いで、前記筒状部の端部から前記小指部が分岐された本体部を編み立てた後、前記本体部に引き続いて足の小指を除く他の指が挿入される他の指部を製編して、くつ下状に筒編された筒編部を得、その後、前記本体部と他の指部との間に開口する開口部の端部を逢着することを特徴とする内反小趾防止用くつ下の製造方法でもある。
【０００５】
かかる本発明において、くつ下の小指部を製編する際に、前記小指部の製編に関与するくつ下編機の編針の数を増減して、前記小指部の先端部に、足の小指を単独で挿入したとき、前記小指部の膨らみを増加する膨らみ増加部を形成することによって、このくつ下を着用したとき、小指に対する圧迫感を少なくできる。
【０００６】
更に、くつ下の爪先部が、足の親指が挿入される親指部、前記足の小指が単独で挿入される小指部及び前記足の他の指が挿入される他の指部に三分割されて成るくつ下を、前記くつ下の小指部を製編した後、くつ下の親指部と他の指部とを製編し、前記親指部の製編の際には、前記親指部の製編に関与するくつ下編機の編針の数を増減して、前記親指部の先端部に、親指部に足の親指を挿入したとき、前記親指部の膨らみを増加する膨らみ増加部を形成し、且つ前記他の指部を製編する際にも、前記他の指部の製編に関与するくつ下編機の編針の数を増減して、前記他の指部の先端部に、足の他の指を挿入したとき、前記他の指部の膨らみを増加する膨らみ増加部を形成することによって、くつ下の親指部及び他の指部に、対応する足の親指及び他の指を挿入したとき、親指及び他の指に対する圧迫感を少なくできる。
しかも、このくつ下には、親指部が独立して形成されており、親指部に足の親指を挿入したとき、足の親指（第１指）と第２指との間を広げることができるため、外反母趾の矯正や防止にも有功である。
また、くつ下の爪先部が、足の小指が単独で挿入される小指部と前記足の親指を含む他の指が挿入される他の指部とに二分割されて成るくつ下を、前記くつ下の小指部を編み立てた後、前記他の指部の編み立てに関与するくつ下編機の編針の数を増減しして、前記他の指部の先端部に、足の他の指を挿入したとき、前記他の指部の膨らみを増加する膨らみ増加部を形成することによって、くつ下の親指部及び他の指部に対応する足の親指及び他の指を挿入したとき、親指及び他の指に対する圧迫感を少なくできる。
【０００７】
本発明に係る内反小趾用くつ下は、くつ下編機によってくつ下状に筒編された筒編部の開口部の端部を逢着して得られたくつ下であって、この逢着によって形成された縫目が甲側又は足裏側を横断しているくつ下である。
かかるくつ下の爪先部は、足の小指が単独で挿入される小指部が、足の他の指が挿入される他の指部から分割して形成されているため、従来の５本指のくつ下に比較して履き易い。
しかも、他の指部が縫目よりもくつ下の先端側に形成されており、且つ縫目よりも踵部側の部位から分岐されている小指部の全体がくつ下の側方に突出するように形成されているため、くつ下の小指部に単独で挿入された足の小指は、足の他の指との間を可及的に広げることができる。
その結果、内反小趾となった小指を矯正することができ、小指が内反小趾となることを防止することもできる。
【０００８】
【発明の実施の形態】
本発明に係るくつ下の一例を図１に示す。図１に示すくつ下１０は、くつ下編機によって製編されたくつ下あり、くつ下１０の爪先部が、小指部１２、親指部１４及び他の指部１６とに三分割されている。
図１（ａ）は、くつ下１０の爪先部の甲側から見た状態を示し、図１（ｂ）は、爪先から見たくつ下１０の爪先部の先端から見た状態を示す。また、図１（ｃ）は、くつ下１０の裏側から見た状態を示す。
図１に示すくつ下１０では、親指部１４及び他の指部１６が縫目１８よりもくつ下の先端側に位置して形成されており、小指部１２が親指部１４及び他の指部１６から独立して形成され且つ小指部１２の全体がくつ下１０の側方に突出するように形成されている。更に、小指部１２は、図１（ｃ）に示す様に、くつ下１０の裏側を横断する縫目１８の近傍で且つ踵部側から分岐している。この縫目１８は、くつ下編機によってくつ下状に筒編された筒編部の開口部の端部を逢着して形成されたものである。
この様に、図１に示すくつ下１０では、小指部１２を他の指部１６との間隔を広くして形成できる。このため、くつ下１０を履いたとき、足の小指（第５指）と第４指との間を可及的に広くでき、内反小趾の予防及び矯正に有功である。
更に、図１に示すくつ下１０の爪先部には、親指部１４が、小指部１２及び他の指部１６から独立して形成されているため、くつ下１０を履いたとき、足の親指（第１指）と第２指との間も広げることができ、親指の外反母趾の予防及び矯正を図ることができる。
したがって、図１に示すくつ下１０によれば、親指の外反母趾と小指の内反小趾との予防及び矯正を同時に図ることができる。
【０００９】
図１に示すくつ下１０には、小指部１２、親指部１４及び他の指部１６の各先端部に、膨らみ増加部２０，２２，２４が形成されている。かかる膨らみ増加部２０，２２，２４のうち、膨らみ増加部２０は、くつ下１０の小指部１２に、足の小指を挿入した際に、小指部１２の膨らみを増加する部分であり、膨らみ部２２は、くつ下１０の親指部１４に、足の親指を挿入した際に、親指部１４の膨らみを増加する部分である。更に、膨らみ増加部２４は、くつ下１０の他の指部１６に、足の小指及び親指を除く他の指を挿入した際に、他の指部１６の膨らみを増加する部分である。
小指部１２の膨らみ増加部２０について、小指部１２の先端側［図１（ｂ）の矢印Ｄ側］から見た形状を図２に示す。図２から明らかなように、膨らみ増加部２０の端縁（ａ1，ａ2，ａ3）、（ａ4，ａ5，ａ6）の形状は略Ｖ字状である。更に、親指部１４の膨らみ増加部２２の端縁形状、すなわち図１（ａ）の矢印Ａ1から見た膨らみ増加部２２の端縁形状及び図１（ａ）の矢印Ａ2から見た膨らみ増加部２２の端縁形状も、略Ｖ字状に形成されている。このため、膨らみ増加部２０，２２は、図１（ｂ）から明らかな様に、小指部２０及び親指部２２の先端部の略中央に形成されている。
また、他の指部２４に形成された膨らみ増加部２４の端縁（ｃ3、ｃ1、ｃ6）、（ｃ4、ｃ2、ｃ5）の形状も、他の指部２４の側面［図１（ａ）に示す矢印Ｂ1，Ｂ2側］から見ると、Ｖ字状である。このため、膨らみ増加部２４は、他の指部２４の先端部の略中央部に形成されている。
この様に、各指部の先端部に所定形状の膨らみ増加部２０，２２，２４が形成されているくつ下１０を履くと、各指部に挿入された足の各指に対する圧迫感を可及的に少なくでき、着用感を良好とすることができる。
【００１０】
図１に示すくつ下１０は、くつ下編機を用い、くつ下１０の甲部を含む筒状部１１を製編した後、足の小指が挿入される小指部１２を、その全体がくつ下１０の側方に突出するように製編し、次いで、親指部１４及び他の指部１６を製編した後、くつ下状に筒編された筒編部の開口部の端部を逢着することによって得ることができる。
かかるくつ下編機として、くつ下編機として汎用されている丸編機を用いてくつ下１０を製編する例を説明する。丸編機は、複数本の編針が周囲に配設された針釜を一定方向に回転して編み立てる回転動作と、この針釜を正逆方向に交互に回動して編み立てる回動動作とを併せ持つ。かかる編針は、図３（ａ）に示す様に、先端部に設けられた鉤部５２を一端部で開閉するベラ５４の他端部が、鉤部５２の首部に設けられた釘５６に回動自在に軸着されているものである。また、針釜は、図３（ｂ）に示す様に、筒状部材６２の外周面に複数本の縦溝６４、４６・・が形成され、この縦溝６４の各々に図３（ａ）に示す編針５０が上下動可能に挿入されているものである。この針釜６０を一定方向に回転させるとき、所定箇所で編針５０が順次持ち上げられて編み立て動作を行う。
【００１１】
先ず、針釜を一定方向に回転させて所定長さの筒状部（筒編部）１１を編み立てた後、針釜を正逆方向に交互に回動させて小指部１２を先編して形成し、次いで、親指部１４及び他の指部１６を編み立てる。
小指部１２を先編するには、先ず、針釜を一定方向に回転させて所定長さの筒編部１１を製編し、図１（ａ）に示すｅ1，ｅ2の位置まで編み立てた後、針釜の編み立てに関与する編針の数（以下、単に針数と称することがある）を、小指部１２を編み立てし得る針数に減少し、この針釜を正逆方向に回動させて図２に示すａ1，ａ2位置まで編み立てる。この編み立て方向は、最終的に形成される小指部１２の全体が、くつ下１０の側方に突出する方向とする。
この様に、ａ1，ａ2位置まで編み立てた後、針数を順次減少させてａ3，ａ4位置まで編み立てる。この際、針数の正逆方向の減少数は実質的に同数である。かかるａ3，ａ4位置までの編み立てによって、小指部１２の一部１２ａを形成できる。
更に、ａ3，ａ4位置まで編み立てた後、針数を順次増加させてａ1，ａ2位置まで編み立てる。この際、針数の正逆方向の増加数は実質的に同数である。かかるａ3，ａ4位置からａ1，ａ2位置までの編み立てによって、膨らみ増加部２０の略半分の２０ａを形成できる。
次いで、ａ1，ａ2位置からａ5，ａ6位置まで、針数を順次減少させて編み立てる。この際、針数の正逆方向の減少数は実質的に同数である。かかるａ1，ａ2位置からａ5，ａ6位置までの編み立てによって、膨らみ増加部２０の残り半分の２０ｂを形成できる。
その後、ａ5，ａ6位置からａ1，ａ2位置まで針数を順次増加させて編み立てた後、ａ1位置とａ2位置との間で針釜を正逆方向に回動させて残りの小指部１２ｂを形成する。
【００１２】
小指部１２を形成した後、ｅ1，ｅ2位置からｅ3，ｅ4位置まで針釜を正逆方向に回動させて小指部１２が分岐された本体部１５を編み立てた後、親指部１４及び他の指部１６を編み立てる。
ここで、親指部１４を編み立てる際には、ｅ3，ｅ4位置まで編み立てた針釜の編み立てに関与する針数を、親指部１４を編み立てし得る針数に減少し、ｂ1、ｂ2位置まで針釜を正逆方向に回動させて親指部１４の一部を編み立てた後、針数を順次減少させてｂ3，ｂ4位置まで編み立てる。この際、針数の正逆方向の減少数は実質的に同数である。
更に、針釜を、ｂ3，ｂ4位置からｂ1、ｂ2位置まで針数を順次増加しつつ回動させて編み立てた後、ｂ1、ｂ2位置からｂ5、ｂ6位置まで針数を順次減少しつつ回動させて編み立てることによって、膨らみ増加部２２を形成できる。
次いで、針釜の編み立てに関与する針数を、親指部１４を編み立てし得る針数とし、ｂ1位置とｂ2位置との間で針釜を正逆方向に回動させて残りを編み立てて親指部１２ｂを形成する。
【００１３】
また、他の指部１６を編み立てる際には、針釜の編み立てに関与する針数を、他の指部１６を編み立て得る針数とし、ｃ1、ｃ2位置まで針釜を、編み立てに関与する針数を順次減少させつつ、正逆方向に回動させて編み立てる。この際、針数の正逆方向の減少数は実質的に同数である。
更に、ｃ1、ｃ2位置からｃ3、ｃ4位置まで針釜を、編み立てに関与する針数を順次減少させつつ、正逆方向に回動させて編み立てる。この際、針数の正逆方向の減少数は実質的に同数であるが、ｃ1、ｃ2位置まで編み立てる際の針数の減少割合よりも高い割合で針数を減少する。
針釜を、ｃ3，ｃ4位置に到達した針釜をｃ1，ｃ2まで針数を順次増加しつつ回動させて編み立てた後、ｃ3，ｃ4位置からｃ5，ｃ6位置まで針数を順次減少しつつ回動させて編み立てることによって、膨らみ増加部２４を形成できる。この際の針数の正逆方向の増減数は実質的に同数である。
次いで、ｃ5，ｃ6位置に到達した針釜を、正逆方向に回動しつつ、編み立てに関与する針数を次第に増加してｃ1，ｃ2位置まで編み立てる。この際、針数の正逆方向の増加数は実質的に同数である。
その後、ｃ1，ｃ2位置に到達した針釜を正逆方向に回動させて編み立て、他の指部１６を完成する。この際、針数の正逆方向の増加数は実質的に同数であるが、ｃ4，ｃ6位置からｃ1，ｃ2位置まで編み立てる際の針数の増加数よりも少ない。
更に、くつ下状に筒編された筒編部の開口部の端部を逢着して縫目１８を形成する箇所まで必要に応じて針釜を所定方向に回転して編み立てた後、筒状部の本体部１５と親指部１４及び他の指部１６との間に開口している開口部を逢着して縫目１８を形成することによって、図１に示すくつ下１０を得ることができる。
【００１４】
この様にして形成されたくつ下１０には、小指部１２、親指部１４及び他の指部１６の各々に形成された膨らみ増加部２０，２２，２４の各端縁には、各端縁を形成するループの一部が互いに絡み合わされて連結されてなる連結線が形成されている。この連結線は、針釜が正方向又は逆方向に回動した際の回動端でもある。
かかる連結線のうち、小指部１２の連結線ａ1ａ3，ａ1ａ4，ａ2ａ4，ａ2ａ6は、小指部１２の膨らみ増加部２０の端縁であり、くつ下１０の甲側又は裏側から見ると、Ｖ字状である。また、親指具１４の連結線ｂ1ｂ3，ｂ1ｂ5，ｂ2ｂ4，ｂ2ｂ6は、親指部１４の膨らみ増加部２２の端縁であり、親指部１４の側面［図１（ａ）に示す矢印Ａ1，Ａ2側］から見ると、Ｖ字状である。更に、他の指部２４の連結線ｃ1ｃ3，ｃ1ｃ6，ｃ2ｃ4，ｃ2ｃ5も、他の指部１６の膨らみ増加部２４の端縁であり、他の指部２４の側面［図１（ａ）に示す矢印Ｂ1，Ｂ2側］から見ると、Ｖ字状である。
尚、これまでの図１の説明における「実質的に同数」とは、針釜が正方向に回動した際の針数の減少数又は増加数と、逆方向に回動した際の針数の減少数又は増加数との間に、編み立てに関与する編針の針数の約１０％程度が相違してもよいことを意味する。
【００１５】
図１に示すくつ下１０は、爪先部が三分割されているものであるが、図４に示す様に、小指部１２と他の指部３２との二分割されているくつ下３０であってもよい。図４に示すくつ下３０でも、小指部１２は、縫目１８よりも踵部側の部位から分岐されていると共に、小指部１２の全体がくつ下３０の側方に突出するように形成されている。
一方、他の指部３２は、小指を除く他の四本指が挿入される部分であり、他の四本指が挿入された際に、他の指部３２の膨らみを増加する膨らみ増加部３４が先端部の略中央部に形成されている。このため、くつ下３０を履いたとき、くつ下による圧迫感が少なく親指を動かし易いため、親指の外反母趾の防止又は矯正に有功である。
勿論、親指と第２指との間に詰め物をして両指間を広くしてくつ下３０を履いても、他の指部３２の先端部に膨らみ増加部３４が形成されているため、親指に対する圧迫感が少ない。
【００１６】
図４に示すくつ下３０も、図３に示す丸編機によって形成でき、小指部１２を先編して針釜がｅ3，ｅ4位置に到達するまでは、図１に示すくつ下１０と同様であるため、ここでは詳細な説明を省略する。
ｅ3，ｅ4位置に到達した針釜は、その編み立てに関与する針数を、他の指部３２を編み立て得る針数とし、ｄ1、ｄ2位置まで針釜を、編み立てに関与する針数を次第に減少させつつ、正逆方向に回動させて編み立てる。この際、針数の正逆方向の減少数は実質的に同数である。
次いで、ｄ1、ｄ2位置からｅ3、ｅ4位置まで針釜を、編み立てに関与する針数を増加させつつ、正逆方向に回動させて編み立てる。この際、針数の正逆方向の増加数は実質的に同数である。
更に、ｅ3，ｅ4位置に到達した針釜を、ｄ3，ｄ4位置まで針釜を、編み立てに関与する針数を次第に減少させつつ、正逆方向に回動させて編み立てる。この際、針数の正逆方向の減少数は実質的に同数である。
この様に、針釜を、編み立てに関与する針数を増減しつつ、回動させた結果、他の指部３２の先端部の略中央部に膨らみ増加部３４を形成できる。
【００１７】
その後、ｄ4，ｄ2位置に到達した針釜を、正逆方向に回動しつつ、編み立てに関与する針数を次第に増加してｅ3，ｅ4位置まで編み立てる。この際、針数の正逆方向の増加数は実質的に同数である。
ｅ3，ｅ4位置に到達した針釜を、必要に応じて針釜を所定方向に回転して編み立てた後、くつ下状に筒編された筒編部の本体部１５と他の指部３２との間に開口している開口部の端部を逢着して縫目１８を形成することによって、図４に示すくつ下３０を得ることができる。
この様にして形成されたくつ下１０の他の指部３２に形成された連結線のうち、連結線ｅ1ｄ1，ｅ1ｄ4，ｅ2ｄ2，ｅ2ｄ3は他の指部３２の膨らみ増加部３４の端縁であり、くつ下３０の側面から見ると、Ｖ字状である。
尚、これまでの図４の説明における「実質的に同数」とは、針釜が正方向に回動した際の針数の減少数又は増加数と、逆方向に回動した際の針数の減少数又は増加数との間に、編み立てに関与する編針の針数の約１０％程度が相違してもよいことを意味する。
【００１８】
また、爪先部が小指部と他の指部との二分割されているくつ下であっても、図５に示す様に、他の指部４２に膨らみ増加部が実質的に形成されていないくつ下４０であってもよい。このくつ下４０においても、小指部１２は、その全体がくつ下４０の側方に突出するように形成されている。
図５に示すくつ下４０も、図３に示す丸編機によって形成でき、小指部１２を先編して針釜がｅ3，ｅ4位置に到達するまでは、図１に示すくつ下１０と同様であるため、ここでは詳細な説明を省略する。
ｅ3，ｅ4位置に到達した針釜は、その編み立てに関与する針数を、他の指部４２を編み立て得る針数とし、ｆ1、ｆ2位置まで針釜を正逆方向に回動させて編み立てる。この際、針数の正逆方向の減少数は実質的に同数である。かかるｅ3，ｅ4位置からｆ1、ｆ2位置までの編み立てによって、他の指部４２の甲側を形成できる。
次いで、ｆ1、ｆ2位置からｅ3，ｅ4位置まで針釜を正逆方向に回動させて編み立てる。この際、針数の正逆方向の増加数は実質的に同数である。かかるｆ1，ｆ2位置からｅ3，ｅ4位置までの編み立てによって、他の指部４２の裏側を形成できる。
その後、ｅ3，ｅ4位置に到達した針釜を、必要に応じて針釜を所定方向に回転して編み立てた後、くつ下状に筒編された筒編部の本体部１５と他の指部４２との間に開口している開口部の端部を逢着して縫目１８を形成することによって、図５に示すくつ下４０を得ることができる。
【００１９】
【発明の効果】
本発明に係るくつ下は、従来の５本指のくつ下に比較して履き易く、靴を脱いだとき、靴からの圧迫から開放され、くつ下の小指部に単独で挿入された足の小指は、足の他の指との間を可及的に広げることができる。その結果、内反小趾となった小指を矯正でき、小指が内反小趾となることを防止することもできる。
【図面の簡単な説明】
【図１】  本発明に係るくつ下の一例を示す部分正面図、側面図及び背面図である。
【図２】  図１に示す小指部の先端部を説明する説明図である。
【図３】  図１に示すくつ下を製編する編機に使用される編針及び針釜を説明する説明図である。
【図４】  本発明に係るくつ下の他の例を示す部分正面図、側面図及び背面図である。
【図５】  本発明に係るくつ下の他の例を示す部分正面図、側面図及び背面図である。
【符号の説明】
１０，３０，４０  くつ下
１２  小指部
１４  親指部
１６，３２，４２  他の指部
１８  縫目
２０，２２，２４，３４  膨らみ増加部
【図１】
0003987688.tif 000002
【図２】
0003987688.tif 000003
【図３】
0003987688.tif 000004
【図４】
0003987688.tif 000005
【図５】
0003987688.tif 000006